【手続補正書】
【提出日】平成18年4月6日(2006.4.6)
【手続補正１】
【補正対象書類名】明細書
【補正対象項目名】特許請求の範囲
【補正方法】変更
【補正の内容】
【特許請求の範囲】
【請求項１】  バイナリデータにメタデータを登録するデータ処理装置のデータ処理方法であって、
メタデータの付与対象のバイナリデータをメモリ上に読み込む第１読込工程と、
前記バイナリデータに付与すべきメタデータを前記メモリ上に読み込む第２読込工程と、
処理ユニットが、前記第１読込工程において読み込まれたバイナリデータの後に、前記第２読込工程において読み込まれたメタデータを接続し、更にその後に前記第２読込工程で読み込まれたメタデータのサイズを示すサイズ情報を接続する接続工程と、
前記接続工程において得られたデータを一つのファイルのデータとして前記メモリから出力する出力工程とを備えることを特徴とするデータ処理方法。
【請求項２】  メタデータが登録されたバイナリデータにおいてメタデータを判別するデータ処理装置のデータ処理方法であって、
１つのファイルのデータをメモリ上に読み込む読込工程と、
前記読込工程において読み込まれたデータの末尾に格納されたデータをサイズ情報として取り出し、該サイズ情報によって表わされるサイズ分のデータの先頭側に接続されているデータが所定のデータ値を有する場合に、該サイズ情報によって表わされる大きさのデータをメタデータとして処理ユニットが抽出する抽出工程とを備えることを特徴とするデータ処理方法。
【請求項３】  メタデータが登録されたバイナリデータにおいてメタデータを判別するデータ処理装置のデータ処理方法であって、
１つのファイルのデータをメモリ上に読み込む読込工程と、
前記読込工程において読み込まれたデータの末尾に格納されたデータをサイズ情報として取り出し、該サイズ情報に基づいてメタデータに該当するデータを処理ユニットが抽出する抽出工程と、
前記抽出工程において抽出されたデータを検査し、所定のデータ記述言語における所定の形式で記述されたデータが存在するか否かを前記処理ユニットが判定する判定工程とを備えることを特徴とするデータ処理方法。
【請求項４】  前記抽出工程において、
前記処理ユニットは、前記読込工程で読み込まれたデータの末尾に格納されたデータをサイズ情報として取り出し、該サイズ情報によって表わされるサイズ分のデータの先頭側に接続されているデータが所定のデータ値を有する場合に、該サイズ情報によって表わされる大きさのデータをメタデータとして抽出することを特徴とする請求項３に記載のデータ処理方法。
【請求項５】  前記判定工程においてメタデータが存在すると判定された場合、該メタデータを出力する出力工程を更に備えることを特徴とする請求項３に記載のデータ処理方法。
【請求項６】  前記バイナリデータは画像データおよび音声データのうち少なくとも１つであることを特徴とする請求項１乃至５のいずれかに記載のデータ処理方法。
【請求項７】  前記サイズ情報が、サイズをテキスト形式で表わすことを特徴とする請求項１乃至６のいずれかに記載のデータ処理方法。
【請求項８】  前記サイズ情報が、サイズをメタデータと同じ形式で格納することを特徴とする請求項１乃至７のいずれかに記載のデータ処理方法。
【請求項９】  バイナリデータにメタデータを登録するデータ処理装置であって、
メタデータの付与対象のバイナリデータを読み込む第１読込手段と、
前記バイナリデータに付与すべきメタデータを読み込む第２読込手段と、
前記第１読込手段で読み込まれたバイナリデータの後に、前記第２読込手段で読み込まれたメタデータを接続し、更にその後に前記第２読込手段で読み込まれたメタデータのサイズを示すサイズ情報を接続する接続手段と、
前記接続手段によって得られたデータを一つのファイルのデータとして出力する出力手段とを備えることを特徴とするデータ処理装置。
【請求項１０】  メタデータが登録されたバイナリデータにおいてメタデータを判別するデータ処理装置であって、
１つのファイルのデータを読み込む読込手段と、
前記読込手段で読み込まれたデータの末尾に格納されたデータをサイズ情報として取り出し、該サイズ情報によって表わされるサイズ分のデータの先頭側に接続されているデータが所定のデータ値を有する場合に、該サイズ情報によって表わされる大きさのデータをメタデータとして抽出する抽出手段とを備えることを特徴とするデータ処理装置。
【請求項１１】  前記抽出手段は、
前記読込手段で読み込まれたデータの末尾に格納されたデータをサイズ情報として取り出し、該サイズ情報によって表わされるサイズ分のデータの先頭側に接続されているデータが所定のデータ値を有する場合に、該サイズ情報によって表わされる大きさのデータをメタデータとして抽出することを特徴とする請求項１０に記載のデータ処理装置。
【請求項１２】  メタデータが登録されたバイナリデータにおいてメタデータを判別するデータ処理装置であって、
１つのファイルのデータを読み込む読込手段と、
前記読込手段で読み込まれたデータの末尾に格納されたデータをサイズ情報として取り出し、該サイズ情報に基づいてメタデータに該当するデータを抽出する抽出手段と、
前記抽出手段で抽出されたデータを検査し、所定のデータ記述言語における所定の形式で記述されたデータが存在するか否かを判定する判定手段とを備えることを特徴とするデータ処理装置。
【請求項１３】  前記判定手段においてメタデータが存在すると判定された場合、該メタデータを出力する出力手段を更に備えることを特徴とする請求項１２に記載のデータ処理装置。
【請求項１４】  バイナリデータにメタデータを登録するデータ処理をコンピュータに実現させるための制御プログラムを格納する記憶媒体であって、
メタデータの付与対象のバイナリデータをメモリ上に読み込む第１読込工程のコードと、
前記バイナリデータに付与すべきメタデータを前記メモリ上に読み込む第２読込工程のコードと、
前記第１読込工程において読み込まれたバイナリデータの後に、前記第２読込工程において読み込まれたメタデータを接続し、更にその後に前記第２読込工程で読み込まれたメタデータのサイズを示すサイズ情報を処理ユニットが接続する接続工程のコードと、
前記接続工程によって得られたデータを一つのファイルのデータとして前記メモリから出力する出力工程のコードとを備えることを特徴とする記憶媒体。
【請求項１５】  メタデータが登録されたバイナリデータにおいてメタデータを判別する処理のための制御プログラムを格納する記憶媒体であって、
１つのファイルのデータをメモリ上に読み込む読込工程のコードと、
前記読込工程において読み込まれたデータの末尾に格納されたデータをサイズ情報として取り出し、該サイズ情報によって表わされるサイズ分のデータの先頭側に接続されているデータが所定のデータ値を有する場合に、該サイズ情報によって表わされる大きさのデータをメタデータとして処理ユニットが抽出する抽出工程のコードとを備えることを特徴とする記憶媒体。
【請求項１６】  メタデータが登録されたバイナリデータにおいてメタデータを判別する処理のための制御プログラムを格納する記憶媒体であって、
１つのファイルのデータを読み込む読込工程のコードと、
前記読込工程において読み込まれたデータの末尾に格納されたデータをサイズ情報として取り出し、該サイズ情報に基づいてメタデータに該当するデータを処理ユニットが抽出する抽出工程のコードと、
前記抽出工程において抽出されたデータを検査し、所定のデータ記述言語における所定の形式で記述されたデータが存在するか否かを前記処理ユニットが判定する判定工程のコードとを備えることを特徴とする記憶媒体。
【手続補正２】
【補正対象書類名】明細書
【補正対象項目名】００１５
【補正方法】変更
【補正の内容】
【００１５】
【課題を解決するための手段】
上記の目的を達成するための本発明の一態様によるデータ処理方法は例えば以下の工程を備える。すなわち、
バイナリデータにメタデータを登録するデータ処理装置のデータ処理方法であって、
メタデータの付与対象のバイナリデータをメモリ上に読み込む第１読込工程と、
前記バイナリデータに付与すべきメタデータを前記メモリ上に読み込む第２読込工程と、
処理ユニットが、前記第１読込工程において読み込まれたバイナリデータの後に、前記第２読込工程において読み込まれたメタデータを接続し、更にその後に前記第２読込工程で読み込まれたメタデータのサイズを示すサイズ情報を接続する接続工程と、
前記接続工程において得られたデータを一つのファイルのデータとして前記メモリから出力する出力工程とを備える。
【手続補正３】
【補正対象書類名】明細書
【補正対象項目名】００１６
【補正方法】変更
【補正の内容】
【００１６】
また、上記の目的を達成するための本発明の他の態様によるデータ処理方法は例えば以下の工程を備える。すなわち、
メタデータが登録されたバイナリデータにおいてメタデータを判別するデータ処理装置のデータ処理方法であって、
１つのファイルのデータをメモリ上に読み込む読込工程と、
前記読込工程において読み込まれたデータの末尾に格納されたデータをサイズ情報として取り出し、該サイズ情報によって表わされるサイズ分のデータの先頭側に接続されているデータが所定のデータ値を有する場合に、該サイズ情報によって表わされる大きさのデータをメタデータとして処理ユニットが抽出する抽出工程とを備える。
【手続補正４】
【補正対象書類名】明細書
【補正対象項目名】００１７
【補正方法】変更
【補正の内容】
【００１７】
また、上記の目的を達成するための本発明の他の態様によるデータ処理方法は例えば以下の工程を備える。すなわち、
メタデータが登録されたバイナリデータにおいてメタデータを判別するデータ処理装置のデータ処理方法であって、
１つのファイルのデータをメモリ上に読み込む読込工程と、
前記読込工程において読み込まれたデータの末尾に格納されたデータをサイズ情報として取り出し、該サイズ情報に基づいてメタデータに該当するデータを処理ユニットが抽出する抽出工程と、
前記抽出工程において抽出されたデータを検査し、所定のデータ記述言語における所定の形式で記述されたデータが存在するか否かを前記処理ユニットが判定する判定工程とを備える。